(57)【要約】【課題】カメラの電源がオンされると、自動的に書面資料をスクリーンに投影する。【解決手段】カメラ３ａの電源がオフの状態でコンピュータ２の電源がユーザによってオンされると、コンピュータ２は、ＰＪ常駐モジュールを起動する。このＰＪ常駐モジュールは、電源監視モジュールと、ＰＪ統合モジュール起動モジュールと、を含む。電源監視モジュールは、カメラ３ａの電源のオン、オフを監視するプログラムであり、ＰＪ統合モジュール起動モジュールは、カメラ３ａの電源がオンされると、ＰＪ統合モジュールを起動するプログラムである。コンピュータ２は、ＰＪ常駐モジュールを起動して、カメラ３ａの電源がオンされると、書面資料Ａを撮影してスクリーンＳに投影するように、カメラ３ａとプロジェクタ１とを制御する。【選択図】図１
2005079730.tif 000002
【特許請求の範囲】
【請求項１】
カメラで撮影した被写体の画像をスクリーンに投影する撮影画像投影装置において、
前記カメラの撮影可否の状態を監視し、前記被写体の撮影可能な状態になると、前記被写体を撮影した画像を取得して前記スクリーンに投影するように制御する制御部を備えた、
ことを特徴とする撮影画像投影装置。
【請求項２】
撮影した被写体の画像をスクリーンに投影する撮影画像投影装置において、
電源のオン状態で前記被写体を撮影し、撮影した前記被写体の画像データを出力するカメラと、
前記カメラが出力した画像データに基づいた画像をスクリーンに投影する投影部と、
前記カメラの電源のオン、オフ状態を監視して、前記カメラの電源がオンされて前記カメラから画像データが出力されると、前記カメラから出力された画像データに処理を施して前記被写体の画像を前記スクリーンに投影するように制御する制御部と、を備えた、
ことを特徴とする撮影画像投影装置。
【請求項３】
前記制御部は、
前記カメラの電源がオンされると、前記被写体を撮影するように前記カメラを制御し、
前記カメラが出力した画像データに処理を施して前記投影部に画像データを供給し、前記カメラが出力した画像データに基づいた画像を前記スクリーンに投影するように前記投影部を制御する、
ことを特徴とする請求項２に記載の撮影画像投影装置。
【請求項４】
前記カメラは、電源ボタンと前記電源ボタンの操作情報を取得する操作情報取得部と、を備え、
前記制御部は、処理プログラムとして、
前記カメラの前記操作情報取得部が取得した操作情報に基づいて前記カメラの電源のオン、オフ状態を監視する電源監視プログラムモジュールと、
前記操作情報に基づいて前記カメラの電源がオンしたと判定して、前記カメラと前記投影部との制御プログラムを起動する起動プログラムモジュールと、
を起動することによって、前記カメラと前記投影部とを制御するものである、
ことを特徴とする請求項３に記載の撮影画像投影装置。
【請求項５】
カメラで撮影した被写体の画像をスクリーンに投影する撮影画像投影方法であって、
前記カメラの撮影可否の状態を監視するステップと、
前記被写体の撮影可能な状態になると、前記被写体を撮影した画像を取得して前記スクリーンに投影するステップと、を備えた、
ことを特徴とする撮影画像投影方法。
【請求項６】
コンピュータに、
カメラの撮影可否の状態を監視する手順、
前記カメラで被写体の撮影可能な状態になると、前記被写体を撮影した画像を取得して前記スクリーンに投影する手順、
を実行させるためのプログラム。
【発明の詳細な説明】
【技術分野】
【０００１】
本発明は、撮影画像投影装置、撮影画像投影方法及びプログラムに関するものである。
【背景技術】
【０００２】
近年、撮影画像投影装置として、ユーザが原稿台に載置した原稿をカメラで撮影して、カメラで撮影した原稿の画像データをコンピュータの記憶装置に記憶して画像処理を行い、プロジェクタを用いてスクリーン上に原稿の画像を拡大して投影するものがある（例えば、特許文献１参照）。
【特許文献１】特開２００２−３５４３３１号公報（第２−３頁、図１）
【発明の開示】
【発明が解決しようとする課題】
【０００３】
しかし、従来の撮影画像投影装置では、実際に動作させるためには、カメラのスイッチをオンし、コンピュータの電源を投入し、プロジェクタの電源を投入してソフトウェアを起動しなければならず、作業が煩雑である。
本発明は、このような従来の問題点に鑑みてなされたもので、撮影した画像を容易に投影することが可能な撮影画像投影装置、撮影画像投影方法及びプログラムを提供することを目的とする。
【課題を解決するための手段】
【０００４】
この目的を達成するため、本発明の第１の観点に係る撮影画像投影装置は、
カメラで撮影した被写体の画像をスクリーンに投影する撮影画像投影装置において、
前記カメラの撮影可否の状態を監視し、前記被写体の撮影可能な状態になると、前記被写体を撮影した画像を取得して前記スクリーンに投影するように制御する制御部を備えた、ことを特徴とする。
【０００５】
本発明の第２の観点に係る撮影画像投影装置は、
撮影した被写体の画像をスクリーンに投影する撮影画像投影装置において、
電源のオン状態で前記被写体を撮影し、撮影した前記被写体の画像データを出力するカメラと、
前記カメラが出力した画像データに基づいた画像をスクリーンに投影する投影部と、
前記カメラの電源のオン、オフ状態を監視して、前記カメラの電源がオンされて前記カメラから画像データが出力されると、前記カメラから出力された画像データに処理を施して前記被写体の画像を前記スクリーンに投影するように制御する制御部と、
を備えた、ことを特徴とする。
【０００６】
前記制御部は、例えば、前記カメラの電源がオンされると、前記被写体を撮影するように前記カメラを制御し、前記カメラが出力した画像データに処理を施して前記投影部に画像データを供給し、前記カメラが出力した画像データに基づいた画像を前記スクリーンに投影するように前記投影部を制御する。
【０００７】
例えば、前記カメラは、電源ボタンと前記電源ボタンの操作情報を取得する操作情報取得部と、を備え、
前記制御部は、処理プログラムとして、前記カメラの前記操作情報取得部が取得した操作情報に基づいて前記カメラの電源のオン、オフ状態を監視する電源監視プログラムモジュールと、前記操作情報に基づいて前記カメラの電源がオンしたと判定して、前記カメラと前記投影部との制御プログラムを起動する起動プログラムモジュールと、を起動することによって、前記カメラと前記投影部とを制御する。
【０００８】
本発明の第３の観点に係る撮影画像投影方法は、
カメラで撮影した被写体の画像をスクリーンに投影する撮影画像投影方法であって、
前記カメラの撮影可否の状態を監視するステップと、
前記被写体の撮影可能な状態になると、前記被写体を撮影した画像を取得して前記スクリーンに投影するステップと、を備えたものである。
【０００９】
本発明の第４の観点に係るプログラムは、
コンピュータに、
カメラの撮影可否の状態を監視する手順、
前記カメラで被写体の撮影可能な状態になると、前記被写体を撮影した画像を取得して前記スクリーンに投影する手順、
を実行させるためのものである。
【発明の効果】
【００１０】
本発明によれば、撮影した画像を容易に投影することができる。
【発明を実施するための最良の形態】
【００１１】
以下、本発明の実施の形態に係る撮影画像投影装置を図面を参照して説明する。
本実施形態に係る撮影画像投影装置の構成を図１に示す。
撮影画像投影装置は、プロジェクタ１と、コンピュータ２と、書画カメラ３と、から構成される。
【００１２】
プロジェクタ１とコンピュータ２は、ＲＢＧケーブル４を介して接続される。コンピュータ２と書画カメラ３とは、ＵＳＢケーブル５を介して接続される。
【００１３】
プロジェクタ１は、供給された画像データに基づく画像をスクリーンＳに投影するものであり、投影部１ａを本体正面に備える。投影部１ａは、投影レンズ等の光学系が収容されたものであり、プロジェクタ１は、投影部１ａを介してドキュメントや画像の光をスクリーンＳに照射する。
【００１４】
プロジェクタ１は、図２に示すように、ＣＰＵ１１と、ＲＯＭ１２と、ＲＡＭ１３と、表示装置１４と、キー入力部１５と、から構成される。また、プロジェクタ１は、入力端子１６を備える。入力端子１６は、ＲＢＧケーブル４が接続されてＲＢＧ信号を入力するための端子であり、ＣＰＵ１１に接続された図示しない入力画像処理回路に設けられている。
【００１５】
ＲＯＭ１２は、ＣＰＵ１１が実行するプログラム等を格納するものであり、ＣＰＵ１１は、ＲＯＭ１２に格納されているプログラムに従って、プロジェクタ１の各部を制御する。
【００１６】
ＲＡＭ１３は、ＣＰＵ１１がプログラムを実行するのに必要なデータを記憶する作業用メモリである。
【００１７】
表示装置１４は、光源と、画像変換素子と、駆動回路と、光学系と、を備える（図示せず）。光源は、クリプトンランプ等の光を発するものである。画像変換素子は、光源の光を投影光に変換するための液晶やマイクロミラーアレイ等の素子である。駆動回路は、入力端子１６から供給されたＲＢＧ信号に従って画像変換素子を駆動するものである。光学系は、投影レンズ等からなり、コンピュータ２から送られたドキュメントや撮影画像をスクリーンＳに投影するものである。
【００１８】
キー入力部１５は、ユーザがキー入力してプロジェクタ１を操作するためのものであり、操作するための複数の操作ボタンを備える。キー入力部１５は、ユーザによって操作ボタンが操作されると、この操作情報をＣＰＵ１１に供給する。
【００１９】
図１に示すコンピュータ２は、例えば、ノート型のパーソナルコンピュータによって構成されたものであり、種々のプログラムを実行する。また、コンピュータ２は、書画カメラ機能がユーザによって選択されると、書画カメラ３のカメラ３ａによって撮影された書面資料Ａの画像データを取得して画像処理等を行い、画像処理等された画像データをプロジェクタ１に出力する。
【００２０】
コンピュータ２は、図２に示すように、ＣＰＵ２１と、ＲＡＭ２２と、記憶装置２３と、入力装置２４、表示装置２５と、から構成される。ＣＰＵ２１、ＲＡＭ２２は、プロジェクタ１のＣＰＵ１１，ＲＡＭ１３と同様のものである。
【００２１】
尚、コンピュータ２は、ＲＢＧ出力端子２６とＵＳＢ接続端子２７とを備える。ＲＢＧ出力端子２６は、ＲＢＧケーブル４が接続されるための端子であり、ＣＰＵ２１に接続された図示しない画像信号処理回路に設けられる。ＣＰＵ２１は、ＲＢＧ出力端子２６、ＲＢＧケーブル４、入力端子１６を介して、プロジェクタ１のＣＰＵ１１にＲＢＧ信号を出力する。ＵＳＢ接続端子２７は、ＵＳＢケーブル５が接続されるための端子であり、ＣＰＵ２１に接続された図示しないＵＳＢ入出力インターフェース回路に設けられる。
【００２２】
入力装置２４は、データを入力するためのものであり、データを入力するための複数のキー、マウスを備える（図示せず）。また、コンピュータ２は、電源ボタン（図示せず）を備え、ユーザが電源ボタンを押下することによって電源がオンされると、入力装置２４は、このユーザの操作情報をＣＰＵ２１に供給する。
【００２３】
表示装置２５は、データを表示するためのものであり、ＬＣＤ及びその駆動回路等からなる。
【００２４】
記憶装置２３は、画像処理プログラムと、画像表示プログラムと、ＰＪ常駐モジュール及びＰＪ統合モジュールの処理プログラムと、を記憶するものであり、ハードディスク等からなる。画像処理プログラムは、撮影画像に対する各種の画像処理を行うためのプログラムである。画像表示プログラムは、画像データに基づく画像を自己の表示装置２５で表示したり、プロジェクタ１によって投影させたりするためのプログラムである。
【００２５】
ＰＪ常駐モジュールは、コンピュータ２の電源がオンされると起動されて、ＣＰＵ２１によって実行されるプログラムモジュール（ソフトウェア）であり、図３に示すように、カメラ電源監視モジュールと、カメラアクセスライブラリモジュールと、ＰＪ統合モジュール起動モジュールと、からなる。
【００２６】
このうち、カメラ電源監視モジュールは、カメラ３ａの電源のオン、オフ状態を監視するためのものである。ＰＪ統合モジュール起動モジュールは、ＰＪ統合モジュールを起動するためのものである。
【００２７】
ＰＪ統合モジュールは、ＰＪ統合モジュール起動モジュールによって起動されて、ＣＰＵ２１によって実行されるプログラムモジュール（ソフトウェア）であり、画像処理、投影処理を実行するものであり、書画投影モジュール、画像編集処理モジュール等を含む。
【００２８】
図１に示す書画カメラ３は、投影対象の書面資料Ａを撮影するためのカメラシステムであり、カメラ３ａと、支柱３ｂと、カメラ台３ｃと、を備える。カメラ３ａは、電源のオン状態で被写体としての書面資料Ａを撮影し、撮影した書面資料Ａの画像データを出力するためのデジタルカメラである。支柱３ｂは、カメラ３ａを取り付けるためのものである。カメラ３ａは、支柱３ｂの上端部に、上下左右に回動自在に取り付けられる。カメラ台３ｃは、支柱３ｂを支えるためのものであるとともに、新聞、雑誌の記事、プレゼン用紙、書面原稿等の書面資料Ａを載置するためのものである。
【００２９】
カメラ３ａは、図４に示すように、ＣＣＤ３１と、信号処理部３２と、ＬＣＤ３３と、ＣＰＵ３４と、画像メモリ３５と、ＵＳＢ・Ｉ／Ｆ３６と、ＲＯＭ３７と、ＲＡＭ３８と、キー入力部３９と、を備えて構成される。
【００３０】
ＣＣＤ３１は、図示しないレンズを介して書面資料Ａの画像データを取得する撮像素子である。
信号処理部３２は、ＣＣＤ３１から出力された信号に各種の信号処理を施した後、デジタルの画像データを出力するものである。
【００３１】
ＬＣＤ３３は、信号処理部３２が出力した画像データに基づいて書面資料Ａの画像を表示するものである。
【００３２】
画像メモリ３５は、画像データを記憶するものであり、例えば、ＪＰＥＧ等の所定フォーマットに従って圧縮された画像を記憶する。画像メモリ３５は、カメラ３ａに内蔵されるか、あるいは、着脱自在なフラッシュメモリ等の不揮発性メモリによって構成される。
【００３３】
ＣＰＵ３４は、撮影操作時に、画像データをＪＰＥＧ等の所定フォーマットに従って圧縮して画像メモリ３５に記録する。また、ＣＰＵ３４は、画像メモリ３５に記録された圧縮後の画像データを読み出して、伸張し、静止画像として、ＬＣＤ３３に再生表示させる。
【００３４】
ＵＳＢ・Ｉ／Ｆ３６は、コンピュータ２との間で画像データ、制御信号等を送受信するためのものである。尚、ＵＳＢ・Ｉ／Ｆ３６とコンピュータ２のＣＰＵ２１とは、ＵＳＢケーブル５、図２に示すコンピュータ２のＵＳＢ接続端子２７を介して接続される。
【００３５】
ＲＯＭ３７は、ＣＰＵ３４が画像データの圧縮・伸張、及び装置全体の制御に必要とする各種の制御プログラムを格納するためのメモリである。
ＲＡＭ３８は、ＣＰＵ３４の作業用メモリである。
【００３６】
キー入力部３９は、電源ボタン、シャッターキー及び他の複数の操作キー（図示せず）からなるものであり、ユーザが電源ボタン、各キーを操作すると、この操作情報を取得し、取得した操作情報をＣＰＵ３４に供給する。
【００３７】
次に実施形態に係る撮影画像投影装置の動作を説明する。
ユーザが書画カメラ３のカメラ３ａの電源ボタンをオンすると、カメラ３ａのキー入力部３９は、この操作に応答して、ユーザの操作情報をＣＰＵ３４に供給する。
【００３８】
ユーザがコンピュータ２の電源ボタンをオンすると、ＣＰＵ３４は、この操作情報を、ＵＳＢ・Ｉ／Ｆ３６、ＵＳＢケーブル５、図２に示すコンピュータ２のＵＳＢ接続端子２７を介してコンピュータ２のＣＰＵ２１に送る。ＣＰＵ２１は、この操作情報に基づいてカメラ３ａがオンされたことを判別する。
【００３９】
次に、ユーザによって、書画カメラ機能が選択されると、カメラ３ａのＣＰＵ３４、コンピュータ２のＣＰＵ２１、プロジェクタ１のＣＰＵ１１は、図５に示すフローチャートに従ってメイン処理を実行する。
【００４０】
即ち、カメラ３ａのＣＰＵ３４は、カメラ台３ｃに載置されたドキュメント等の書面資料Ａを撮影する（ステップＳ１１）。
【００４１】
ＣＰＵ３４は、撮影した書面資料Ａの画像データをコンピュータ２へ出力する（ステップＳ１２）。コンピュータ２のＣＰＵ２１は、画像処理プログラムを実行する。即ち、ＣＰＵ２１は、カメラ３ａから送られた画像データに対して歪み補正を行う（ステップＳ１３）。
【００４２】
ＣＰＵ２１は、歪み補正が行われた画像データの回転処理を行う（ステップＳ１４）。
ＣＰＵ２１は、回転処理が行われた画像データの切り抜き処理を行う（ステップＳ１５）。
【００４３】
ＣＰＵ２１は、このような各種の画像処理プログラムを実行することによって補正した画像データをプロジェクタ１に送る（ステップＳ１６）。
【００４４】
プロジェクタ１は、コンピュータ２から送られた画像データに基づいて、書面資料Ａの投影画像をスクリーンＳに投射する（ステップＳ１７）。
【００４５】
このようにして、カメラ３ａによって撮影された書面資料Ａが補正されてスクリーンＳに表示される。
【００４６】
次に、書画カメラ３の電源がオフのまま、コンピュータ２の電源がユーザによってオンされると、コンピュータ２は、ＰＪ常駐モジュールを起動し、コンピュータ２のＣＰＵ２１は、書画カメラ３の電源がオンされるまで、このＰＪ常駐モジュールを定期的に実行する。
【００４７】
このＰＪ常駐モジュールの処理内容を図６に示すフローチャートに従って説明する。
【００４８】
ＣＰＵ２１は、ＰＪ統合モジュールが起動しているか否かを判定する（ステップＳ２１）。
ＰＪ統合モジュールが起動していると判定した場合（ステップＳ２１においてＹｅｓ）、ＣＰＵ２１は、このＰＪ常駐モジュールの処理を、一旦、終了させる。
【００４９】
ＰＪ統合モジュールが起動していないと判定した場合（ステップＳ２１においてＮｏ）、ＣＰＵ２１は、カメラ３ａの電源がオンしたか否かを判定する（ステップＳ２２）。
【００５０】
カメラ３ａの電源がオンしたと判定した場合（ステップＳ２２においてＹｅｓ）、ＣＰＵ２１は、ＰＪ統合モジュールを起動して（ステップＳ２３）、この常駐モジュールの処理を、一旦、終了させる。
【００５１】
一方、カメラ３ａの電源がオフしていると判定した場合（ステップＳ２２においてＮｏ）、ＣＰＵ２１は、このＰＪ常駐モジュールの処理を、一旦、終了させる。
尚、ＣＰＵ２１は、適宜、コンピュータ２をスリープ状態にしてもよい。
【００５２】
このようにしてＰＪ統合モジュールが起動される。そして、ＰＪ統合モジュールが起動されると、カメラ３ａのＣＰＵ３４、コンピュータ２のＣＰＵ２１、プロジェクタ１のＣＰＵ１１は、図５に示すフローチャートに従ってメイン処理を実行する。
【００５３】
以上説明したように、本実施形態によれば、コンピュータ２は、コンピュータ２の電源がオンされてから書画カメラ３の電源がオンされると、ＰＪ常駐モジュールを起動して、カメラ３ａの電源のオン、オフ状態を監視する。そして、カメラ３ａの電源がオンされると、ＰＪ統合モジュールを起動する。従って、書画カメラ３の電源をオンすると、自動的に書面資料ＡをスクリーンＳに投影することが出来、ユーザの利便性が向上する。
【００５４】
尚、本発明を実施するにあたっては、種々の形態が考えられ、上記実施形態に限られるものではない。
例えば、上記実施形態では、コンピュータ２のＣＰＵ２１が、カメラ３ａとプロジェクタ１とを制御するように構成された。しかし、ＣＰＵ２１の代わりに、プロジェクタ１のＣＰＵ１１が、上記処理を実行するようにしてもよい。
【００５５】
また、上述の処理を実行させるためのプログラムを、フレキシブルディスク、ＣＤ−ＲＯＭ（Compact Disk Read-Only Memory）、ＤＶＤ（Digital Versatile Disk）などのコンピュータ読み取り可能な記録媒体に格納して配布し、これをコンピュータにインストールし、上述の手段として動作させ、あるいは、上述の工程を実行させてもよい。
更に、インターネット上のサーバ装置が有するディスク装置等にプログラムを格納しておき、例えば、搬送波に重畳させて、コンピュータにダウンロード等するものとしてもよい。
【図面の簡単な説明】
【００５６】
【図１】本発明の実施形態に係る撮影画像投影装置の構成を示すブロック図である。
【図２】図１に示すプロジェクタとコンピュータとの構成を示すブロック図である。
【図３】図１に示すコンピュータに記憶された各モジュールを示す説明図である。
【図４】図１に示すカメラの構成を示すブロック図である。
【図５】図１に示す撮影画像投影装置が実行するメイン処理を示すフローチャートである。
【図６】図１に示す撮影画像投影装置が実行するＰＪ常駐モジュールの処理内容を示すフローチャートである。
【符号の説明】
【００５７】
１・・・プロジェクタ、２・・・コンピュータ、３・・・書画カメラ、３ａ・・・カメラ、１１，２１，３４・・・ＣＰＵ
【図１】
2005079730.tif 000003
【図２】
2005079730.tif 000004
【図３】
2005079730.tif 000005
【図４】
2005079730.tif 000006
【図５】
2005079730.tif 000007
【図６】
2005079730.tif 000008